(57)【要約】      （修正有）【課題】用紙終端検出センサと印刷機構部間の距離をドット単位で算出し、当該距離を不揮発性記憶素子に記憶させることが自動的に実行できて、また、用紙終端検出センサ位置の調整から算出した距離を印刷可能用紙残量算出手段に反映するまでの一連の操作を簡素化することができる印刷装置を提供する。【解決手段】用紙終端検出センサと用紙送り穴検出センサ間の距離を算出する手段と、印刷機構部と用紙終端検出センサ間の距離を算出する手段と、当該距離を不揮発性記憶素子に記憶する手段を付加した。【選択図】図１
2007031010.tif 000002
【特許請求の範囲】
【請求項１】
印刷を実行する印刷機構部と、用紙搬送手段と、印刷機構部を制御する印刷制御部と、印刷機構部上流側の用紙終端を検出する用紙終端検出センサと、印刷機構部下流側の用紙詰まりを検出する用紙送り穴検出センサと、１ドットずつ用紙送りを行なう用紙送り手段と、印刷可能な用紙残量を算出する用紙残量算出手段と、不揮発性記憶素子と、表示装置とを有する印刷装置において、前記印刷機構部と前記用紙終端検出センサ間の距離を自動的に算出し調整する手段を有することを特徴とする印刷装置。
【請求項２】
前記印刷機構部と前記用紙終端検出センサ間の距離を自動的に算出し調整する手段は、用紙終端検出センサが用紙終端位置を検出した後に前記用紙送り穴検出センサを通過する間の距離を算出する手段と、当該距離から前記印刷機構部と前記用紙終端検出センサ間の距離をドット単位で算出する距離調整手段と、当該距離を不揮発性記憶素子に記憶する記憶手段とからなることを特徴とする請求項１記載の印刷装置。
【発明の詳細な説明】
【技術分野】
【０００１】
本発明は、印刷用紙として連続紙を使用する印刷装置に関し、特に同装置の用紙終端検出センサ位置自動調整装置に関する。
【背景技術】
【０００２】
図２を参照して、従来の用紙終端検出センサ位置調整装置を説明する。
【０００３】
図２において、２０１は印刷機構部、２０２は印刷用紙、２０３は用紙終端を検出する用紙終端検出センサ、２０４は用紙詰まりを検出する用紙送り穴検出センサである。
【０００４】
用紙終端検出センサ位置の調整は、図２の状態から１ドットずつの紙送りを開始し、用紙終端が用紙終端検出センサ２０３を通過した後、印刷制御部のパターン印刷手段を起動して所定のパターンを印刷し、印刷用紙２０２が印刷機構部２０１を完全に通過した後印刷を停止し、用紙上に印刷されている縦ドット数を目視によりカウントして印刷機構部２０１と用紙終端検出センサ２０３間の距離を求め、当該距離を不揮発性記憶素子に操作により記憶させ、不揮発性記憶素子から読み出した距離を印刷可能用紙残量算出手段へ反映させていた。
【０００５】
【特許文献１】特開平１０−２１１７４６号公報
【発明の開示】
【発明が解決しようとする課題】
【０００６】
上記したように、従来の装置においては、用紙終端検出センサ位置の調整から算出した距離を印刷可能用紙残量算出手段に反映するまでの一連の操作が繁雑であった。
【０００７】
本発明の目的は、上記一連の操作を簡素化することにある。
【課題を解決するための手段】
【０００８】
上記課題を解決する本発明の請求項１に記載の発明は、印刷を実行する印刷機構部と、用紙搬送手段と、印刷機構部を制御する印刷制御部と、印刷機構部上流側の用紙終端を検出する用紙終端検出センサと、印刷機構部下流側の用紙詰まりを検出する用紙送り穴検出センサと、１ドットずつ用紙送りを行なう用紙送り手段と、印刷可能な用紙残量を算出する用紙残量算出手段と、不揮発性記憶素子と、表示装置とを有する印刷装置において、前記印刷機構部と前記用紙終端検出センサ間の距離を自動的に算出し調整する手段を有することを特徴とする。
【０００９】
また、  上記課題を解決する本発明の請求項２に記載の発明は、請求項１記載の発明において、前記印刷機構部と前記用紙終端検出センサ間の距離を自動的に算出し調整する手段が、用紙終端検出センサが用紙終端位置を検出した後に前記用紙送り穴検出センサを通過する間の距離を算出する手段と、当該距離から前記印刷機構部と前記用紙終端検出センサ間の距離をドット単位で算出する距離調整手段と、当該距離を不揮発性記憶素子に記憶する記憶手段とからなることを特徴とする。
【発明の効果】
【００１０】
本発明によれば用紙終端検出センサと印刷機構部間の距離をドット単位で算出し、当該距離を不揮発性記憶素子に記憶させることが自動的に実行できる。また、用紙終端検出センサ位置の調整から算出した距離を印刷可能用紙残量算出手段に反映するまでの一連の操作を簡素化することができる。
【発明を実施するための最良の形態】
【００１１】
以下、本発明の実施例を図面を参照して詳述する。
【実施例１】
【００１２】
図１に、本発明の一例のブロック図を示す。
【００１３】
図１において、１０１は印刷を実行する印刷機構部、１０２は用紙終端を検出する用紙終端検出センサ、１０３は用紙詰まりを検出する用紙送り穴検出センサ、１０４は印刷機構部を制御する印刷制御部、１０５は１ドットずつ用紙送りを行なう用紙送り手段、１０６は用紙送りドット数をカウントする用紙送り量算出手段、１０７は印刷機構部１０１と用紙終端検出センサ１０２間の距離を算出する距離調整手段、１０８は印刷可能な用紙残量を算出する用紙残量算出手段、１０９は不揮発性記憶素子、１１０は印刷機構部１０１と用紙終端検出センサ間１０２との距離を不揮発性記憶素子に記憶する記憶手段、１１１は印刷機構部１０１と用紙終端検出センサ１０２との間距離を不揮発性記憶素子１０９から読み出す読み出し手段、１１２は表示装置である。
【００１４】
用紙終端検出センサ１０２の位置調整は、印刷用紙の終端を用紙終端検出センサ１０２の上流側に設置し、用紙送り手段１０５を実行して１ドットずつの用紙送りを開始する。印刷用紙が移動し用紙終端検出センサ１０２が印刷用紙の終端位置を検出した直後、用紙送り量算出手段１０６を実行し用紙送りドット数のカウントを開始する。印刷用紙が印刷機構部１０１を通過し、用紙送り穴検出センサ１０３を通過した直後、用紙送り手段１０５を停止し１ドットずつの用紙送り及び、用紙送り量算出手段１０６を終了し、用紙送りドット数のカウントを停止する。カウントしたドット数から印刷機構部１０１と用紙終端検出センサ１０２間の距離を距離調整手段１０７によりドット単位で算出し、当該距離を記憶手段１１０により不揮発性記憶素子１０９に記憶させる。
【００１５】
上記の調整を行うことにより、通常の印刷動作においては、読み出し手段１１１により印刷機構部１０１と用紙終端検出センサ１０２との距離を不揮発性記憶素子１０９から読み出し、用紙残量算出手段１０８により印刷可能用紙残量に反映させることができる。
【００１６】
図３は、用紙終端検出センサ１０２の位置調整に使用する操作パネルの例である。図３において、３０１は表示装置、３０２〜３１０はスイッチを示す。
【００１７】
図４は用紙終端検出センサ１０２の位置調整におけるヒューマンインターフェースの例である。図４において、表示欄４０１は図１の表示装置１１２および３０１上の表示例であり、４０２は当該手段の内容である。
【００１８】
このインターフェースにおいて、用紙終端検出センサ１０２の位置調整場合には、準備完スイッチ３０４を押下することにより、用紙送り手段１０５から記憶手段１１０までの一連の手段を実行し、印刷機構部１０１と用紙終端検出センサ１０２の距離を自動的に調整することができる。
【図面の簡単な説明】
【００１９】
【図１】本発明を示すブロック図。
【図２】印刷機構部と用紙終端検出センサの関係を示す概略図。
【図３】本発明における表示装置の一例を示す平面図。
【図４】本発明におけるヒューマンインターフェースの例を示す概略図。
【符号の説明】
【００２０】
１０１  印刷機構部
１０２  用紙終端検出センサ
１０３  用紙送り穴検出センサ
１０４  印刷制御部
１０５  用紙送り手段
１０６  用紙送り量算出手段
１０７  距離調整手段
１０８  用紙残量算出手段
１０９  不揮発性記憶素子
１１０  記憶手段
１１１  読み出し手段
１１２  表示装置
２０１  印刷機構部
２０２  印刷用紙
２０３  用紙終端検出センサ
２０４  用紙送り穴検出センサ
３０１  表示装置
３０２〜３１０  スイッチ
４０１  パネル表示
４０２  パネル表示内容
【図１】
2007031010.tif 000003
【図２】
2007031010.tif 000004
【図３】
2007031010.tif 000005
【図４】
2007031010.tif 000006